(57)【要約】      （修正有）【課題】背もたれシートに座って、周りの人に迷惑を掛けることなく安心で、且つセキュリティも安全で、十分に睡眠や休息が取れる安楽旅ベルトを提供する。【解決手段】背もたれシート１２０において、背もたれ１０１の背面１０２の上部中央にベルト交差支持部３０１を位置させ、ベルト交差支持部３０１の左右の各々から背もたれの肩１０２ＳＲ,１０２ＳＬを経由して、シート２１０に座った人の肩からウエスト中央部に亘りここから脇と背もたれの側部１２０Ｒ,１２０Ｌを経由して背もたれ１０１の背面１０２に延在して前記ベルト交差支持部３０１に至るループベルト３０２Ｒ,３０２Ｌを一対設け、この各ループベルトの前記ウエスト中央部にループベルト間を着脱可能に連結する連結具、又は他の被連結具に連結する連結具を設けた。【選択図】図１
0003144094.tif 000002
【実用新案登録請求の範囲】
【請求項１】
背もたれシート120において、背もたれ101の背面102の上部中央にベルト交差支持部301を位置させ、ベルト交差支持部301の左右の各々から背もたれの肩102SR,102SLを経由して、シート210に座った人の肩からウエスト中央部に亘りここから脇と背もたれの側部120R,120Lを経由して背もたれ101の背面102に延在して前記ベルト交差支持部301に至るループベルト302R,302Lを一対設け、この各ループベルトの前記ウエスト中央部にループベルト間を着脱可能に連結する連結具、又は他の被連結具に連結する連結具を設けたことを特徴とする安楽旅ベルト。
【考案の詳細な説明】
【技術分野】
【０００１】
本考案は、背もたれシートに座って、周りの人に迷惑を掛けることなく安心で、且つセキュリティも安全で、十分に睡眠や休息が取れる安楽旅ベルトに関するものである。
【背景技術】
【０００２】
例えば海外旅行の際、目的地までを飛行機を利用する場合は、機内での大半は座席シートにて音楽、テレビ、食事、読書、睡眠などにより、長時間を過ごすこととなる。その中でも睡眠時間が最も多い。この睡眠時間には、かなり気を使い十分な睡眠が取れない。
この気を使う要因は、睡眠中に臨席の人に寄りかかることなどのご迷惑を掛けないように、あるいは貴重品のセキュリティ上の心配が最も大きい。
そこで、従来は、臨席の人に対しては、通常のシートベルトを腰と片肩に掛け、更に首に枕を巻くなどして身体を安定させて睡眠を取っているのが現状のようです。しかし、これでは身体に圧迫感を与えたり、緊張状態での睡眠や休息となる。
また貴重品等のセキュリティについては、それらの入れたバッグなどを手でしっかりと持ち押さえる以外の術はなかった。
この他にも種々の要因があるが、これ等いずれの要因の場合でも、あるいは要因が複数重なれば尚の事、十分な睡眠がとれず睡眠不足が甚だしく疲労とストレスが蓄積し、折角の海外旅行もその影響が大きく、現地での観光などを満喫できない。またビジネスでは明朗さや爽快さが欠け相手に十分な意向が伝わらず、更には不快感を与えたりすることが多く、満足できる成果を挙げることができない。帰国後も同様な問題が発生する。
【考案の開示】
【考案が解決しようとする課題】
【０００３】
本考案は、これ等の問題を解決し、背もたれシートに座って、周りの人に迷惑を掛けることなく安心で、且つセキュリティも安全で、十分に睡眠や休息が取れる安楽旅ベルトを提供するものである。
【課題を解決するための手段】
【０００４】
上記課題を全うする本考案の安楽旅ベルトの特徴は、図１〜図６に示すように、次の(1)〜(6)に記載の通りである。
(1)、背もたれシートにおいて、背もたれの背面の上部中央にベルト交差支持部を位置させ、ベルト交差支持部の左右の各々から背もたれの肩を経由して、シートに座った人の肩からウエスト中央部に亘りここから脇と背もたれ側部を経由して背もたれの背面に延在して前記ベルト交差支持部に至るループベルトを一対設け、この各ループベルトの前記ウエスト中央部にループベルト間を着脱可能に連結する連結具303R,303L、1000又は他の被連結具に連結する連結具600を設けたことを特徴とする安楽旅ベルト。
(2)、前記ループベルトに長さ調節用バックルを介設した安楽旅ベルト。
(3)、前記ループベルトの肩当たり部に緩衝用の肩当てパッドや安眠枕を装着した安楽旅ベルト。
(4)、前記ループベルトの連結具に腕用空気枕や貴重品入れバッグを吊下げた安楽旅ベルト。
(5)、前記ループベルトのベルト交差支持部をベルトを挿通自在で開閉可能にした筒状体にした安楽旅ベルト。
【考案の効果】
【０００５】
前記構成の本考案の安楽旅ベルトは、背もたれシートに座って利用すると、ループベルトで、座った人を背もたれシートに一体的にフィットさせて安定保持し、両肩部の前倒れと横倒れを締め付けることなく且つ圧迫することなく阻止すると共に、ループベルトの前垂れループ内に腕を通して預けその自重で貴重品を押さえておけば、セキュリティも安全で、且つより良い上半身の安楽姿勢とその安定保持を確保することができる。これらにより、背もたれシートに座った人の安眠と安息を促し、大いにリラックスして熟睡することができ、また休息も十分にとることができ、長旅先での観光、ビジネス成果を充実したものにし、旅行後においても旅の疲れを残すこと無く爽快な気分で明日に向けた生活、ビジネスを展開することができる等の優れた効果を呈するものである。
また本考案の安楽旅ベルトは、持ち運びが便利な図８に示す小型の安楽旅ベルト収容ケース、小型袋、小型バッグ等の物入れに収容して、簡単に持ち運びし利用できる簡便さと手軽さを兼ね備えている。
図８に示す小型の安楽旅ベルト収容ケースは、メッシュや織布等で縫製したもので中央部の入れ口はファスナーで構成し、ケースが空の時は、アイマスクに利用できるように両側部には耳掛けようの平ゴムを付け、また安楽旅ベルトの任意の位置に提げれるようにクリップをスライド可能に取り付けてある。
また本考案の安楽旅ベルトは、前記のように簡単な構成のため、図４に示すようにベルト自体に眼鏡掛けを付けるとか種々のアクセサリーを装着することができる。更に、誰でも有り合わせの材料で手造り可能であり、その普及による安眠、安息効果は極めて多大なものがある。
【考案を実施するための最良の形態】
【０００６】
本考案において、前記ループベルトは、基本的形状は、断面矩形の長尺帯状体とするが、芯体一層にしたもの、或いは芯体の周囲に一層又は多層の補強材、緩衝材等を一体的に被覆したものなど適宜な構成をして、利用者に違和感を与えない工夫をすることが良い。
その他の実施形態のベストモデルは次の実施例で詳細に紹介する。
尚、各実施例で共通する同一部分は、同一符号を付しその詳細は実施例１で説明し他の例はそれを省略する。
【実施例１】
【０００７】
図１は実施例１を示す説明図であり、図１の(1)は、斜め正面図、(2)は背面説明図である。
図１において、本例の安楽旅ベルト300-1は、背もたれシート120において、背もたれ101の背面102の上部中央にベルト交差支持部301を位置させ、ベルト交差支持部301の左右の各々から背もたれ101の肩102SR,102SLを経由して、シート210に座った人の肩（SR,SL）からウエスト中央部に亘りここから脇と背もたれ側部120R,120Lを経由して背もたれ101の背面に延在して前記ベルト交差支持部301に至るループベルト302R,302Lを一対設け、この各ループベルト302R,302Lの前記ウエスト中央部にループベルト302R,302L間を着脱可能に連結する連結具303R,303Lを設けたものである。
ループベルト302R,302Lは、幅が25mm〜50mm、厚みが1.5mm〜5mmの化学繊維で内部にクッション材層をラミネートしたものを使用して身体に優しく強靭なものにしてある。
交差支持部301はベルトが交差挿通自在な筒状にしてボタン301Ａで開くことができる。
従って、前記各ループベルト302R,302Lは、ベルト交差支持部301で互いに交差して左右のループに繋がっている。
また各ループベルト302R,302Lの前側の垂れ下がり部304R,304Lには腕を通し、肘を掛けて楽な状態にすることができる。
連結具303R,303Lは、樹脂製、金属製、針金加工製でフックFを有しその基部はベルトに沿って摺動自在に装着してある。
前記ループベルト302R,302Lには、その中間部を切り離し、その切り離し端部の一方を長さ調節バックル305R,305Lの上軸に固定し他方を同調節バックル305R,305Lの下軸に弛緩・緊縮可能に連結する。また肩当たり部に緩衝パッド306R,306Lや安眠枕を装着し、連結具303R,303LのフックＦには腕用空気枕（720）や貴重品入れバッグなどを掛けて吊下げることができる。
【実施例２】
【０００８】
図２は、実施例２の安楽旅ベルト300-2をシートに座った人に装着した状態の斜め正面図である。この実施例２の安楽旅ベルト300-2は、実施例１の安楽旅ベルトの長さ調節バックル304R,304Lを省略し、ベルト肩部に睡眠マット710を装着し、連結具303R,303LのフックＦに腕用空気枕（抱き枕）720の被吊穴720Ａを掛けて吊り下げ装着したものである。図２中720Bは空気入れ口の栓を示す。
【実施例３】
【０００９】
図３は、実施例３の安楽旅ベルト300-3をシート210に座った人に装着した状態の斜め正面図である。この実施例３の安楽旅ベルト300-3は、実施例２の安楽旅ベルトから睡眠マット710と腕用空気枕720を省略し、連結具変更したものである。
而して、本実施例３の安楽旅ベルト300-3は、背もたれシート120において、背もたれ101の背面の上部中央には図示していないが、実施例１と同一のベルト交差支持部を位置させ、ベルト交差支持部の左右の各々から背もたれ101の肩102SR,102SLを経由して、シート210に座った人の肩からウエスト中央部に亘りここから脇と背もたれ側部120R,120Lを経由して背もたれ101の背面に延在して前記実施例1に示すベルト交差支持部（301）に至るループベルト302R,302Lを一対設け、この各ループベルト302R,302Lの前記ウエスト中央部にループベルト302R,302L間を着脱可能に連結する連結具600を設けたものである。この実施例３の安楽旅ベルトの連結具600は、図５に拡大して示すごとく、常設のシートベルト500のワンタッチ連結バックル501に設けた差し込み式の被連結受け具502に差し込み連結するものである。
連結具600は、ハの字に切欠いた一対のベルト通し穴601、602を有しこれにループベルト302R,302Lを図示の如く通し、下端に差し込みプラグ603を有し、これを前記被連結受け具502に差込んで止め具をロックさせ、その解除は被連結受け具502に設けたスプリング式ボタン503を押すことでなされる一般公知の連結機構である。
【実施例４】
【００１０】
図４は、実施例４の安楽旅ベルト300-4をシート210に座った人に装着した状態の斜め正面図である。この実施例４の安楽旅ベルト300-4は、実施例３の安楽旅ベルトのベルト肩部に睡眠マット710を装着したものでその他の構成は実施例３と同一である。
【実施例５】
【００１１】
図６は、実施例５の安楽旅ベルト300-5をシート210に座った人に装着した状態の斜め正面図であり、肩当てパット800と実施例1と同様のベルト調節具を900を付設し、他の連結具1000を設けたものである。
本例の安楽旅ベルト300-5は、各ループベルト302R,302Lの前記ウエスト中央部にループベルト302R,302L間を着脱可能に連結する連結具1000を設け、この連結具1000は左右分離型1001,1002で、図７に拡大して示すごとく、ハの字に切欠いた一対のベルト通し穴1005、1006を有しこれにループベルト302R,302Lを図示の如く通し、中央部に差し込みプラグ1003と、受けプラグ1004を着脱可能に連結した一般公知の連結機構である。
【産業上の利用可能性】
【００１２】
本考案の安楽旅ベルトは、前述のように優れた効果を呈するため、飛行機、バス、電車などの各種背もたれシートに適用することができ、この種産業で活用されることが大いに期待されるものである。
【図面の簡単な説明】
【００１３】
【図１】図１は、実施例１を示す説明図であり、(1)は、斜め正面図、(2)は斜め背面説明図である。
【図２】図２は、実施例２の安楽旅ベルトをシートに座った人に装着した状態の斜め正面からの説明図である。
【図３】図３は、実施例３の安楽旅ベルトをシートに座った人に装着した状態の斜め正面からの説明図である。
【図４】図４は、実施例４の安楽旅ベルトをシートに座った人に装着した状態の斜め正面説明図である。
【図５】図５は、図３と図４の要部の拡大説明図である。
【図６】図６は、実施例５の安楽旅ベルトをシートに座った人に装着した状態の斜め正面説明図である。
【図７】図７は、図６の要部の拡大説明図である。
【図８】小型の安楽旅ベルト収容ケース例を示す。
【符号の説明】
【００１４】
120          背もたれシート
101          背もたれ
300-1        安楽旅ベルト
301          ベルト交差支持部
302R,302L   ループベルト
303R,303L   連結具
501          ワンタッチ連結バックル
600          連結具
1000         連結具      
710          睡眠マット
720          腕用空気枕
【図１】
0003144094.tif 000003
【図２】
0003144094.tif 000004
【図３】
0003144094.tif 000005
【図４】
0003144094.tif 000006
【図５】
0003144094.tif 000007
【図６】
0003144094.tif 000008
【図７】
0003144094.tif 000009
【図８】
0003144094.tif 000010